(57)【要約】      （修正有）【課題】  食品包装用ラップフィルムが巻き戻ることを防止することを目的とする、従来の食品用ラップフィルムのケースに組合わせて使用する、食品包装用ラップフィルム巻き戻り防止用具を提供する。【解決手段】  両側を解放した横長函状体からなる本体１の上面中央に長手方向に横長の開口部７を設け、本体の前壁２の上辺に水平状の天板３ａを形成し、天板の先端は開口部を残して下方へ曲折し前壁に並立するように横長の押え弁４を形成し、本体の背壁８の上辺に水平状の天板３ｂを一体に形成し、天板の先端は開口部を残し斜下方に向けて曲折して舌弁９を形成し、背壁８と押え弁４と舌弁９並びに天板３ｂで囲まれる空間をラップフィルムの収容部１１とし、ラップフィルムケース１４並びにラップフィルムロール１２と組合わせて使用することを特徴とする、食品包装用ラップフィルム巻き戻り防止用具。【選択図】図１
2008037497.tif 000002
【特許請求の範囲】
【請求項１】
両側を解放した横長函状体からなる本体の上面中央に長手方向に横長の開口部を設け、本体の前壁の上辺に水平状の天板を形成し、天板の先端は開口部を残して下方へ曲折し前壁に並立するように横長の押え弁を形成し、本体の背壁の上辺に水平状の天板を一体に形成し、天板の先端は開口部を残し斜下方に向けて曲折して舌弁を形成し、背壁と押え弁と舌弁並びに天板で囲まれる空間をラップフィルムの収容部とした、食品用ラップフィルム巻き戻り防止用具。
【請求項２】
横長のシートからなる水平状の天板の長手方向の先端を下方に曲折しラップフィルムロール押え弁を形成し、天板の他端を下方に曲折し取付弁を一体に形成したものを食品包装用ラップフィルムケースの内部前壁上部に取付け、横長のシートからなる水平状の天板の長手方向の先端を斜下方へ曲折し舌弁を形成し且つ他端を下方に曲折し取付弁を一体に形成したものを食品包装用ラップフィルムケースの内部背壁に取付けた、請求項１の食品包装用ラップフィルム巻き戻り防止用具。
【発明の詳細な説明】
【技術分野】
【０００１】  本発明は、食品包装用ラップフィルムの巻き戻りを防止することを目的とする、従来の食品用ラップフィルムのケースに組合わせて使用する、食品包装用ラップフィルム巻き戻り防止用具に関するものである。
【背景技術】
【０００２】  従来の食品包装用ラップフィルムは、各種類に巻き戻り防止の工夫がなされているにも関わらず、ロールから引き出された食品包装用ラップフィルムが巻き戻ってしまう事例が見られる。
巻き戻ったラップが完全にロールに貼付いた場合非常に引き出しにくく、引き出し口を見つけ出せない場合、残っているラップが最後まで使えず廃棄されてしまう事例もみられる。
【発明の開示】
【発明が解決しようとする課題】
【０００３】  そのために次のような問題点があった。
（イ）従来の食品包装用ラップフィルムは、各種類に巻き戻り防止の工夫がなされているが、ラップフィルムの引き出しの長さが短い状態で切ったり、ケースの蓋を完全に閉じない状態で切る等、使用者がメーカーの指示している適切な使用方法通りに使わない場合、ラップフィルムが巻き戻りやすくなる。
（ロ）食品包装用ラップフィルムのロール残量が少なくなると、ラップフィルムロールがケース内で転がり動き、ラップフィルムが巻き戻りやすくなる。
本発明は、これらの問題を解決するためになされたものである。
【課題を解決するための手段】
【０００４】  両側を解放した横長函状体からなる本体の上面中央に長手方向に横長の開口部を設け、本体の前壁の上辺に水平状の天板を形成し、天板の先端は開口部を残して下方へ曲折し前壁に並立するように横長の押え弁を形成し、本体の背壁の上辺に水平状の天板を一体に形成し、天板の先端は開口部を残し斜下方に向けて曲折して舌弁を形成し、背壁と押え弁と舌弁並びに天板で囲まれる空間をラップフィルムの収容部とし、ラップフィルムケース並びにラップフィルムロールと組合わせて使用することを特徴とする、食品包装用ラップフィルム巻き戻り防止用具である。
【発明の効果】
【０００５】  本発明は、従来の食品包装用ラップフィルムケース並びにラップロールと組合わせて使用することにより、ラップフィルムの引き出し量が短い場合でも、ラップ張付防止用の天板並びに舌弁により、引き出されたラップフィルムがラップロールに貼付きにくくなる。
またラップロールの残量が少なくなった場合でも、押え弁の弾力によりラップフィルムロールをラップフィルムケースの内壁面に常に軽く押付ける状態になり、ケース内での転がりを防ぎ、ラップフィルムの巻き戻り防止に効果がある。
さらに、ラップフィルムを引き出した際にラップフィルムロールがラップケースから飛び出すことを防ぐ効果もある。
【発明を実施するための最良の形態】  以下、本発明の実施の形態を説明する。
【実施例１】
【０００６】  （イ）表面に梨地加工を施し、両側を解放した横長函状体からなる本体（１）の上面中央に長手方向に横長の開口部（７）を設ける。
（ロ）本体（１）の前壁（２）の上辺に水平状の天板（３ａ）を一体に形成し、天板（３ａ）の先端は開口部（７）を残して下方へ曲折し、前壁（２）に並立するように横長の押え弁（４）を形成し、その左右の先端（５ａ）と先端（５ｂ）に丸みをもたせる。
（ハ）天板（３ａ）と押え弁（４）により形成される左右の直角状の先端（６ａ）と先端（６ｂ）に丸みをもたせる。
（ニ）本体（１）の背壁（８）の上辺に水平状の天板（３ｂ）を一体に形成し、天板（３ｂ）の先端は開口部（７）を残し斜下方に向けて曲折し舌弁（９）を形成し、その左右の先端（１０ａ）と先端（１０ｂ）に丸みをもたせる。
（ホ）背壁（８）と押え弁（４）舌弁（９）並びに天板（３ｂ）で囲まれる空間を、ラップフィルムの収容部（１１）とする。
（ヘ）本体（１）の収容部（１１）にラップロール（１２）を収容し、開口部（７）よりラップフィルム（１３）の先端が出るようにする。
（ト）本体（１）は、蓋（１５）を開閉自由とする横長の箱からなるラップフィルムケース（１４）に収容する。
本発明は以上の構成よりなり、本発明を使用するときは、次のようにする。
本体（１）にラップフィルムロール（１２）を収納し開口部（７）よりラップフィルム（１３）の先端を突出させた状態で、ラップフィルムケース（１４）に本体（１）を収容する。
このとき、本体（１）の中では、ラップフィルムロール（１２）は押え弁（４）の弾力で背壁（８）の内側に軽く挟まれているために、ラップフィルムロール（１２）が収容部（１１）の中で転がることを防ぎ巻き戻り防止の効果がうまれる。
開口部（７）より引き出されたラップフィルム（１３）の先端は、開口部（７）の両側に押え弁（４）と舌弁（９）並びに天板（３ａ）天板（３ｂ）が設けられていることにより、ラップフィルム（１３）の引き出し部分が短いときもラップフィルムロール（１２）に張り付くことを防ぐ。
本体（１）の表面に梨地加工を施すことにより、ラップフィルム（１３）が本体（１）へ貼り付きにくくなり、またラップフィルム（１３）を引き出す際ラップフィルムロール（１２）の収容部（１１）内での回転もスムーズとなる。
さらに、収容部（１１）は天板（３ｂ）と押え弁（４）並びに舌弁（９）に覆われていることにより、開口部（７）からラップフィルムロール（１２）が飛び出すことを防ぐ。
【実施例２】
【０００７】  （イ）表面に梨地加工を施した横長の水平状天板（３ａ）の長手方向の一方の先端を下方へ曲折し取付弁（１６ａ）を形成し、反対側先端を下方へ曲折し押え弁（４）を一体に形成し、その左右の先端（５ａ）と先端（５ｂ）に丸みをもたせる。
（ロ）天板（３ａ）と押え弁（４）により形成される左右の直角状の先端（６ａ）と先端（６ｂ）に丸みをもたせる。
（ハ）表面に梨地加工を施した横長の水平状天板（３ｂ）の長手方向の一方の先端を下方へ曲折し取付弁（１６ｂ）を形成し、反対側先端を斜下方に向けて曲折し、舌弁（９）を一体に形成し、その左右の先端（１０ａ）と先端（１０ｂ）に丸みをもたせる。
（ニ）ラップフィルムケース（１４）の内部前壁（１７）上部に取付弁（１６ａ）を取り付け、内部背壁（１８）上部に取付弁（１６ｂ）を取り付け、押え弁（４）と舌弁（９）の間に開口部（７）を設ける。
（ホ）天板（３ｂ）舌弁（９）押え弁（４）並びに取付弁（１６ｂ）で囲まれるラップフィルムケース（１４）内部の空間を、ラップフィルムの収容部（１１）とする。
（ヘ）ラップフィルムケース（１４）内部の収容部（１１）にラップフィルムロール（１２）を収容し、開口部（７）よりラップフィルム（１３）の先端が出るようにする。
本発明は以上の構成よりなり、本発明を使用するときは、次のようにする。
ラップフィルムケース（１４）内部の収容部（１１）にラップフィルムロール（１２）を収納し開口部（７）よりラップフィルム（１３）の先端を突出させる。
このとき、ラップフィルムケース（１４）の中では、ラップフィルムロール（１２）は押え弁（４）の弾力でラップフィルムケース（１４）の内部背壁（１８）に軽く挟まれているために、ラップフィルムロール（１２）が収容部（１１）の中で転がることを防ぎ巻き戻り防止の効果がうまれる。
開口部（７）より引き出されたラップフィルム（１３）の先端は、開口部（７）の両側に押え弁（４）と舌弁（９）並びに天板（３ａ）天板（３ｂ）が設けられていることにより、ラップフィルム（１３）の引き出し部分が短いときもラップフィルムロール（１２）に張り付くことを防ぐ。
天板（３ａ）押え弁（４）天板（３ｂ）舌弁（９）の表面に梨地加工を施すことにより、ラップフィルム（１３）が貼り付きにくくなり、またラップフィルム（１３）を引き出す際ラップフィルムロール（１２）の収容部（１１）内での回転もスムーズとなる。
さらに、収容部（１１）は天板（３ｂ）と押え弁（４）並びに舌弁（９）に覆われていることにより、開口部（７）からラップフィルムロール（１２）が飛び出すことを防ぐ。
【図面の簡単な説明】
【０００９】
【図１】本発明の使用状態を示す分離図
【図２】本発明の使用状態を示す斜視図
【図３】本発明の斜視図
【図４】本発明の断面図
【図５】本発明の使用状態を示す断面図
【図６】本発明の使用状態を示す断面図
【図７】本発明の他の実施例の使用状態を示す分離図
【図８】本発明の他の実施例の断面図
【図９】本発明の他の実施例の使用状態を示す斜視図
【図１０】本発明の他の実施例の使用状態を示す断面図
【符号の説明】
【００１０】１  本体
２  前壁
３ａ  天板
３ｂ  天板
４  押え弁
５ａ  先端
５ｂ  先端
６ａ  先端
６ｂ  先端
７  開口部
８  背壁
９  舌弁
１０ａ  先端
１０ｂ  先端
１１  収容部
１２  ラップフィルムロール
１３  ラップフィルム
１４  ラップフィルムケース
１５  蓋
１６ａ  取付弁
１６ｂ  取付弁
１７  内部前壁
１８  内部背壁
【図１】
2008037497.tif 000003
【図２】
2008037497.tif 000004
【図３】
2008037497.tif 000005
【図４】
2008037497.tif 000006
【図５】
2008037497.tif 000007
【図６】
2008037497.tif 000008
【図７】
2008037497.tif 000009
【図８】
2008037497.tif 000010
【図９】
2008037497.tif 000011
【図１０】
2008037497.tif 000012